(57)【要約】【課題】遊技者の息で吹き飛ばされる矢部材の速度を抑制することができるとともに肺活量の向上に寄与することができ、高齢者や子供の健康維持を目的とした遊技として活用することができる吹き矢を提供する。【解決手段】内部が長手方向に貫通した中空状のパイプ状部材１と、パイプ状部材１の内部に挿入可能とされるとともに、遊技者が当該パイプ状部材１の基端から息を吹き込むことで所定の的７に向かって吹き飛ばされ、かつ、当該的７に当たると、その位置に留まり得る矢部材２と、矢部材２の基端に形成され、遊技者の息を受けるべく外径方向に広がった息受け部３とを具備した吹き矢であって、息受け部３は、矢部材２がパイプ状部材１の内部に挿入された状態において、弾力を有しつつ内側に撓んだ状態とされるとともに、当該パイプ状部材１の内周面１ａとの間に所定の隙間Ｃが形成されるものである。【選択図】図８
2013244128.tif 000002
【特許請求の範囲】
【請求項１】
内部が長手方向に貫通した中空状のパイプ状部材と、
該パイプ状部材の内部に挿入可能とされるとともに、遊技者が当該パイプ状部材の基端から息を吹き込むことで所定の的に向かって吹き飛ばされ、かつ、当該的に当たると、その位置に留まり得る矢部材と、
該矢部材の基端に形成され、遊技者の息を受けるべく外径方向に広がった息受け部と、
を具備した吹き矢であって、
前記息受け部は、前記矢部材が前記パイプ状部材の内部に挿入された状態において、弾力を有しつつ内側に撓んだ状態とされるとともに、当該パイプ状部材の内周面との間に所定の隙間が形成されることを特徴とする吹き矢。
【請求項２】
前記息受け部は、外径方向に広がった形状の樹脂製部材から成ることを特徴とする請求項１記載の吹き矢。
【請求項３】
前記息受け部は、外径方向に花びらが広がった如き花の形状を模して成ることを特徴とする請求項１又は請求項２記載の吹き矢。
【請求項４】
前記パイプ状部材は、内径寸法が１６〜２２ｍｍとされたことを特徴とする請求項１〜３の何れか１つに記載の吹き矢。
【請求項５】
前記パイプ状部材の基端側に脱着可能とされ、遊技者が口でくわえて当該パイプ状部材の内部に息を吹き込むことが可能なマウスピースを具備したことを特徴とする請求項１〜４の何れか１つに記載の吹き矢。
【請求項６】
前記矢部材は、先端に磁石が固定されて成り、当該磁石の磁力により所定の的に吸着され得ることを特徴とする請求項１〜５の何れか１つに記載の吹き矢。
【請求項７】
前記パイプ状部材は、先端側に鉄製部材が固定されて成り、前記矢部材の磁石を吸着させ得ることを特徴とする請求項６記載の吹き矢。
【発明の詳細な説明】
【技術分野】
【０００１】
本発明は、高齢者や子供の健康維持を目的とした遊技として活用することができる吹き矢に関するものである。
【背景技術】
【０００２】
近時の高齢化社会においては、治療から予防へと医療方針の重点が移行していることから、例えば吹き矢等による遊技を通して、健康維持やストレス解消を図ることが普及しつつある。かかる吹き矢は、瞬間的にパイプ状部材に息を吹き込んで矢（矢部材）を吹き飛ばすものであることから、深い呼吸（特に鼻呼吸）が必要とされるとともに、口輪筋を使うことで咀嚼等の生活習慣改善を図ることができ、健康維持やストレス解消に役立つであろうと期待される。なお、かかる先行技術は、文献公知発明に係るものでないため、記載すべき先行技術文献情報はない。
【発明の概要】
【発明が解決しようとする課題】
【０００３】
しかしながら、上記従来の吹き矢においては、競技等を目的として用いられる場合が多いことから、的に向かって矢を高速で吹き飛ばし得るものとされており、健康維持等を目的とした高齢者や子供の遊技として用いるには不向きであった。また、従来の吹き矢においては、比較的少ない息で矢を吹き飛ばすことが可能とされていることから、例えば高齢者や子供の肺活量の向上を目的とした場合、不向きとされる。さらに、矢を高速で吹き飛ばすものの場合、矢に当たって怪我をしてしまう虞があるという問題もあった。本出願人は、高齢者や子供の健康維持を目的とした遊技として吹き矢を活用することを鋭意検討し、本発明を想到するに至った。
【０００４】
本発明は、このような事情に鑑みてなされたもので、遊技者の息で吹き飛ばされる矢部材の速度を抑制することができるとともに肺活量の向上に寄与することができ、高齢者や子供の健康維持を目的とした遊技として活用することができる吹き矢を提供することにある。
【課題を解決するための手段】
【０００５】
請求項１記載の発明は、内部が長手方向に貫通した中空状のパイプ状部材と、該パイプ状部材の内部に挿入可能とされるとともに、遊技者が当該パイプ状部材の基端から息を吹き込むことで所定の的に向かって吹き飛ばされ、かつ、当該的に当たると、その位置に留まり得る矢部材と、該矢部材の基端に形成され、遊技者の息を受けるべく外径方向に広がった息受け部とを具備した吹き矢であって、前記息受け部は、前記矢部材が前記パイプ状部材の内部に挿入された状態において、弾力を有しつつ内側に撓んだ状態とされるとともに、当該パイプ状部材の内周面との間に所定の隙間が形成されることを特徴とする。
【０００６】
請求項２記載の発明は、請求項１記載の吹き矢において、前記息受け部は、外径方向に広がった形状の樹脂製部材から成ることを特徴とする。
【０００７】
請求項３記載の発明は、請求項１又は請求項２記載の吹き矢において、前記息受け部は、外径方向に花びらが広がった如き花の形状を模して成ることを特徴とする。
【０００８】
請求項４記載の発明は、請求項１〜３の何れか１つに記載の吹き矢において、前記パイプ状部材は、内径寸法が１６〜２２ｍｍとされたことを特徴とする。
【０００９】
請求項５記載の発明は、請求項１〜４の何れか１つに記載の吹き矢において、前記パイプ状部材の基端側に脱着可能とされ、遊技者が口でくわえて当該パイプ状部材の内部に息を吹き込むことが可能なマウスピースを具備したことを特徴とする。
【００１０】
請求項６記載の発明は、請求項１〜５の何れか１つに記載の吹き矢において、前記矢部材は、先端に磁石が固定されて成り、当該磁石の磁力により所定の的に吸着され得ることを特徴とする。
【００１１】
請求項７記載の発明は、請求項６記載の吹き矢において、前記パイプ状部材は、先端側に鉄製部材が固定されて成り、前記矢部材の磁石を吸着させ得ることを特徴とする。
【発明の効果】
【００１２】
請求項１の発明によれば、息受け部は、矢部材がパイプ状部材の内部に挿入された状態において、当該パイプ状部材の内周面との間に所定の隙間が形成されるので、遊技者の息の一部を逃がすことで、遊技者の息で吹き飛ばされる矢部材の速度を抑制することができるとともに肺活量の向上に寄与することができ、高齢者や子供の健康維持を目的とした遊技として活用することができる。
【００１３】
また、息受け部は、矢部材がパイプ状部材の内部に挿入された状態において、弾力を有しつつ内側に撓んだ状態とされるので、パイプ状部材から吹き飛ばされた後に弾力で元の形に復元させることができ、繰り返し長期に亘って使用した場合であっても、パイプ状部材の内周面との間に形成される所定の隙間を維持させることができる。
【００１４】
請求項２の発明によれば、息受け部は、外径方向に広がった形状の樹脂製部材から成るので、所望の形状に容易に成形することができ、パイプ状部材の内周面との間に形成される所定の隙間を容易に任意設定することができるとともに、製造コストを低減させることができる。
【００１５】
請求項３の発明によれば、息受け部は、外径方向に花びらが広がった如き花の形状を模して成るので、矢部材が的に当たってその位置で留まった際、当該的に花が咲いた如く見えることから、遊技性をより向上させることができる。
【００１６】
請求項４の発明によれば、パイプ状部材は、内径寸法が１６〜２２ｍｍとされたので、成人の気管と略同一寸法（成人の気管は、略１７ｍｍとされている）の内径とされており、吹く息をパイプ部材内で集中させることなく矢部材に至らせることができる。したがって、遊技者の息で吹き飛ばされる矢部材の速度をより抑制することができるとともに肺活量の向上に寄与することができる。
【００１７】
請求項５の発明によれば、パイプ状部材の基端側に脱着可能とされ、遊技者が口でくわえて当該パイプ状部材の内部に息を吹き込むことが可能なマウスピースを具備したので、マウスピースを交換することで、一つのパイプ状部材を複数の遊技者で使い回しすることができる。
【００１８】
請求項６の発明によれば、矢部材は、先端に磁石が固定されて成り、当該磁石の磁力により所定の的に吸着され得るので、矢部材に当たって怪我をしてしまう危険性を回避することができるとともに、磁石が的に当たる音が効果音となって遊技性をより向上させることができる。
【００１９】
請求項７の発明によれば、パイプ状部材は、先端側に鉄製部材が固定されて成り、矢部材の磁石を吸着させ得るので、パイプ状部材の基端側を把持しつつ先端側の鉄製部材で磁石を吸着させることができ、例えば車椅子に乗った遊技者が床面に落ちた矢部材を容易に拾い上げることができる。
【図面の簡単な説明】
【００２０】
【図１】本発明の実施形態に係る吹き矢におけるパイプ状部材を示す側面図
【図２】同パイプ状部材を示す縦断面図
【図３】同パイプ状部材を示す正面図
【図４】同パイプ状部材の基端にマウスピースを取り付ける状態を示す拡大図
【図５】同吹き矢における矢部材を示す正面図及び側面図
【図６】同吹き矢における矢部材を示す背面図
【図７】同吹き矢における矢部材をパイプ状部材の内部に挿入した状態を示す断面図
【図８】同吹き矢における矢部材をパイプ状部材の内部に挿入した状態を示す背面図
【図９】同吹き矢に適用される的及び当該的に当たって留まった矢部材を示す模式図
【発明を実施するための形態】
【００２１】
以下、本発明の実施形態について図面を参照しながら具体的に説明する。
本実施形態に係る吹き矢は、高齢者や子供の健康維持を目的とした遊技に用いられるもので、図１〜６に示すように、パイプ状部材１と、矢部材２と、息受け部３と、磁石４と、パイプ状部材１の基端側に取り付けられたマウスピース５と、パイプ状部材１の先端側に固定された鉄製部材６とから主に構成されている。
【００２２】
パイプ状部材１は、図１〜３に示すように、内部が長手方向（図１中左右方向）に貫通した中空状（円筒状）のアルミ製部材から成るもので、本実施形態においては、長さ寸法Ｌ（図１参照）が３９３ｍｍ、内径寸法Ｄ（図３参照）が１７ｍｍに設定されている。かかるパイプ状部材１の基端（図１中右端）には、マウスピース５が取り付けられているとともに、先端（図１中左端）には、鉄製部材６が固定されている。
【００２３】
マウスピース５は、パイプ状部材１の基端側に脱着可能とされ、遊技者が口でくわえて当該パイプ状部材１の内部に息を吹き込むことが可能な紙等から成るディスポーザブル品（使い捨て可能な部品）から成る。より具体的には、マウスピース５は、図４に示すように、パイプ状部材１の基端部に形成された小径部１ｂに対して脱着可能に取り付けられ、端縁面が段部１ｂａに突き当てられて位置決めされ、当該基端部に取り付けられるよう構成されている。なお、マウスピース５の内径は、パイプ状部材１の内径寸法Ｄと略等しく（厳密には若干大きく）設定されており、略１７ｍｍとされている。
【００２４】
鉄製部材６は、鉄から成る円環状部材から成り、パイプ状部材１の先端部の外周面に固定されている。すなわち、パイプ状部材１は、アルミ材から成り、後述する磁石４と吸着されない材料から成る一方、その先端に固定された鉄製部材６が当該磁石４と吸着し得るよう構成されているのである。なお、鉄製部材６は、鉄製部品であれば足り、例えばブロック状のものをパイプ状部材１の先端部に固定させたものとしてもよい。
【００２５】
矢部材２は、パイプ状部材１の内部に挿入可能とされるとともに、遊技者が当該パイプ状部材１の基端から息を吹き込むことで所定の的７（図９参照）に向かって吹き飛ばされ、かつ、当該的７に当たると、その位置に留まり得るものである。本実施形態に係る矢部材２は、図５、６に示すように、本体部２ａと、該本体部２ａから後方に向かって延設された脚部２ｂと、本体部２ａの先端に固定された磁石４とを有するとともに、脚部２ｂの先端には息受け部３が固定されている。
【００２６】
より具体的には、矢部材２を構成する本体部２ａと脚部２ｂとは、樹脂材を一体成形して成るもので、本体部２ａの先端（図５中左端）に磁石４（磁石片）が固定されるとともに、脚部２ｂの先端（同図中右端）に息受け部３が固定されて構成されている。これにより、矢部材２は、パイプ状部材１の基端における内部に挿入（図７、８）された後、遊技者の息により吹き飛ばされ、パイプ状部材１の先端から放出されるとともに、的７に当たると、磁石４の磁力により当該的７に吸着して、その位置に留まるようになっている。
【００２７】
息受け部３は、矢部材２の基端に形成され、遊技者の息を受けるべく外径方向に広がった形状の樹脂製部材から成るものである。より具体的には、本実施形態に係る息受け部３は、図５、６に示すように、外径方向に花びらが広がった如き花の形状（本実施形態においては、たんぽぽ）を模して成り、外郭部には花びら部３ａを有している。すなわち、息受け部３の外輪郭には、側方に広がった花びら部３ａが形成されており、その花びら部３ａを含む全体の径Ｈは、パイプ状部材１の内径寸法Ｄより大きく設定されている。
【００２８】
しかして、息受け部３は、矢部材２がパイプ状部材１の内部に挿入された状態において、図７、８に示すように、弾力（樹脂の復元力に基づく弾力）を有しつつ内側に撓んだ状態（図７中矢印方向に撓んだ状態）とされるとともに、当該パイプ状部材１の内周面１ａとの間に所定の隙間Ｃが形成されるようになっている。すなわち、矢部材２がパイプ状部材１の内部に挿入された状態において、隣接する花びら部３ａどうしのクリアランスが所定の隙間Ｃを生じさせることとなるのである。
【００２９】
なお、本実施形態においては、マウスピース５を取外した状態で矢部材２をパイプ状部材１の基端から挿入し、マウスピース５を取り付けた後、息を吹き込むよう構成されている。かかる形態に代えて、例えば、パイプ状部材１の先端から矢部材２を挿入するものとし、当該パイプ状部材１の基端から遊技者が息を吹き込んで矢部材２を吹き飛ばすようにしてもよい。
【００３０】
矢部材２をパイプ状部材１の内部に挿入した状態で、マウスピース５を介してパイプ状部材１の基端から遊技者が息を吹き込むと、その息を息受け部３が受け、その力が推進力となって矢部材２が吹き飛ばされ、パイプ状部材１の先端から放出されるのである。このとき、遊技者から吹き込まれた息の一部は、所定の隙間Ｃにて逃がされることとなり、その分、矢部材２の推進力が低下することとなる。
【００３１】
また、パイプ状部材１は、その内径寸法Ｄ（マウスピース５の内径も同様）が１７ｍｍ程度に設定されていることから、成人の気管と略同一寸法の内径とされており、吹く息をパイプ部材１内で集中させることなく矢部材２に至らせることができる。したがって、遊技者の息で吹き飛ばされる矢部材２の速度をより抑制することができるとともに肺活量の向上に寄与することができる。しかるに、本実施形態にいては、パイプ状部材１の内径寸法Ｄが１７ｍｍに設定されているが、１６〜２２ｍｍの範囲内であれば任意の内径寸法とすることができる。
【００３２】
本実施形態で適用される的７は、図９に示すように、所定位置に載置可能な鉄製の板状部材から成り、矢部材２の先端の磁石４が当たると、当該磁石４の磁力にて吸着して、その位置に留まらせるよう構成されている。この的７には、例えば同心円が描画されており、何れの円に矢部材７が当たるのかに応じて点数を異ならせ得るようになっている。なお、的７に描かれる図柄は、任意設定することができるとともに、例えば的７全体をモータ等にて回転させるようにして、遊技性をより向上させるようにしてもよい。
【００３３】
上記実施形態によれば、息受け部３は、矢部材２がパイプ状部材１の内部に挿入された状態において、当該パイプ状部材１の内周面１ａとの間に所定の隙間Ｃが形成されるので、遊技者の息の一部を逃がすことで、遊技者の息で吹き飛ばされる矢部材２の速度を抑制することができるとともに肺活量の向上に寄与することができ、高齢者や子供の健康維持を目的とした遊技として活用することができる。
【００３４】
また、本実施形態に係る息受け部３は、矢部材２がパイプ状部材１の内部に挿入された状態において、弾力を有しつつ内側に撓んだ状態とされるので、パイプ状部材１から吹き飛ばされた後に弾力で元の形に復元させることができ、繰り返し長期に亘って使用した場合であっても、パイプ状部材１の内周面１ａとの間に形成される所定の隙間Ｃを維持させることができる。
【００３５】
特に、本実施形態においては、息受け部３が外径方向に花びらが広がった如き花の形状を模して成るので、図９に示すように、矢部材２が的７に当たってその位置で留まった際、当該息受け部２における内側に撓んだ状態の花びら部３ａが、弾力で元の形に復元して外径方向に広がり、たんぽぽ等の花が的７に当たって咲く如き演出を行わせることができる。これにより、遊技性をより向上させることができる。
【００３６】
さらに、本実施形態に係る息受け部３は、外径方向に広がった形状の樹脂製部材から成るので、所望の形状に容易に成形することができ、パイプ状部材１の内周面１ａとの間に形成される所定の隙間Ｃを容易に任意設定することができるとともに、製造コストを低減させることができる。すなわち、息受け部３が樹脂製部材から成るので、その形状や大きさを任意設定するのが容易とされ、息受け部３がパイプ状部材１の内部に挿入された状態で形成される隙間Ｃの大きさ等を自由に設定することができるのである。
【００３７】
またさらに、本実施形態によれば、パイプ状部材１の基端側に脱着可能とされ、遊技者が口でくわえて当該パイプ状部材１の内部に息を吹き込むことが可能なマウスピース５を具備したので、マウスピース５を交換することで、一つのパイプ状部材１を複数の遊技者で使い回しすることができる。なお、マウスピース５を遊技者毎に交換して、一つのパイプ状部材１を複数の遊技者で使い回しすることで、正規の順番でない遊技者が誤って矢部材２を吹き飛ばしてしまうのを防止することができる。
【００３８】
また、本実施形態に係る矢部材２は、先端に磁石４が固定されて成り、当該磁石４の磁力により所定の的７に吸着され得るので、矢部材２に当たって怪我をしてしまう危険性を回避することができるとともに、磁石４が的に当たる音が効果音となって遊技性をより向上させることができる。加えて、本実施形態に係るパイプ状部材１は、先端側に鉄製部材６が固定されて成り、矢部材２の磁石４を吸着させ得るので、パイプ状部材１の基端側を把持しつつ先端側の鉄製部材６で磁石を吸着させることができ、例えば車椅子に乗った遊技者が床面に落ちた矢部材２を容易に拾い上げることができる。
【００３９】
またさらに、本実施形態の如き吹き矢は、高齢者や子供であっても簡単に使用可能であって誰でも一緒に遊技することが可能であることから、多くの高齢者や子供が集まって遊技することで、所謂コミュニケーションツールとして好適である。したがって、本実施形態によれば、高齢者や子供の孤独や孤立の予防を図ることができる。
【００４０】
以上、本実施形態について説明したが、本発明はこれに限定されるものではなく、例えばパイプ状部材１の長さ寸法Ｌや内径寸法Ｄを種々変更してもよい。また、本実施形態に係る息受け部３は、外径方向に花びらが広がった如き花の形状（たんぽぽの形状）を模したものとされているが、矢部材２がパイプ状部材１の内部に挿入された状態において、弾力を有しつつ内側に撓んだ状態とされるとともに、当該パイプ状部材１の内周面１ａとの間に所定の隙間Ｃが形成されるものであれば、他の形状（例えば所望のキャラクタを模した形状等）としてもよい。
【００４１】
さらに、矢部材２は、磁石４の磁力で的７に吸着するものに限定されず、的７に当たった際、その位置で留まるものであれば、例えば吸盤等にて吸着するもの等、他の形態のものとしてもよい。また、マウスピース５を具備しないものとし、パイプ状部材１の基端を遊技者が直接くわえて息を吹き込むものとしてもよく、或いは鉄製部材６が固定されていないパイプ状部材１としてもよい。
【産業上の利用可能性】
【００４２】
矢部材がパイプ状部材の内部に挿入された状態において、弾力を有しつつ内側に撓んだ状態とされるとともに、当該パイプ状部材の内周面との間に所定の隙間が形成される息受け部を有した吹き矢であれば、外観形状が異なるもの或いは他の機能が付加されたもの等にも適用することができる。
【符号の説明】
【００４３】
１  パイプ状部材
１ａ  内周面
２  矢部材
３  息受け部
３ａ  花びら部
４  磁石
５  マウスピース
６  鉄製部材
７  的
Ｃ  隙間
【図１】
2013244128.tif 000003
【図２】
2013244128.tif 000004
【図３】
2013244128.tif 000005
【図４】
2013244128.tif 000006
【図５】
2013244128.tif 000007
【図６】
2013244128.tif 000008
【図７】
2013244128.tif 000009
【図８】
2013244128.tif 000010
【図９】
2013244128.tif 000011